(57)【要約】      （修正有）【課題】高効率に安全に搬送される基板搬送装置および方法を提供する。【解決手段】マニピュレータ１とワークステージ２との間に設けられ、第１方向に沿って平行に設けられた基板上板移送テーブル５および基板下板移送テーブル６を有し、前記第１方向に垂直な第２方向に沿って、前記ワークステージ２と前記マニピュレータ１との間で基板を移送するための基板移送テーブル３と、前記基板上板移送テーブル５または前記基板下板移送テーブル６により前記基板を移送する過程において空気膜を生成して前記基板を持ち上げるための基板移行空気浮上アセンブリ４と、を有し、基板移行空気浮上アセンブリ４がガイドローラとが協働する。【選択図】図１ａ
2018142700.tif 000002
【特許請求の範囲】
【請求項１】
基板搬送装置であって、
マニピュレータとワークステージとの間に設けられ、かつ第１方向に沿って平行に設けられた基板上板移送テーブルおよび基板下板移送テーブルを有し、前記第１方向に垂直な第２方向に沿って、前記ワークステージと前記マニピュレータとの間で基板を移送するための基板移送テーブルと、
全体フレームと、前記全体フレームの前記ワークステージに近接した側に固定して接続され、かつ前記基板上板移送テーブルと前記基板下板移送テーブルのうちのそれぞれと接続され、前記基板上板移送テーブルまたは前記基板下板移送テーブルにより前記基板を移送する過程において空気膜を生成して前記基板を持ち上げるための基板移行空気浮上アセンブリと、を有する、ことを特徴とする装置。
【請求項２】
前記基板上板移送テーブルおよび基板下板移送テーブルの相対位置は変わらず、全体として前記全体フレームに平行であり、かつ前記全体フレームに摺接される、ことを特徴とする請求項１に記載の基板搬送装置。
【請求項３】
前記基板上板移送テーブルおよび基板下板移送テーブルの前記マニピュレータに近接した側には基板移送アセンブリがそれぞれ設けられる、ことを特徴とする請求項１に記載の基板搬送装置。
【請求項４】
前記基板移送アセンブリは、前記全体フレームに設けられた運動モジュールと、前記運動モジュールに設けられた複数の吸着盤と、を有し、
前記吸着盤は、前記基板を吸着し、かつ前記運動モジュールの運動下で前記基板を前記第２方向に沿って運動させるよう駆動するために用いられる、ことを特徴とする請求項３に記載の基板搬送装置。
【請求項５】
前記運動モジュールは、モータとスクリュの組み合わせである、ことを特徴とする請求項４に記載の基板搬送装置。
【請求項６】
前記基板上板移送テーブルおよび前記基板下板移送テーブルは、前記第１方向に沿って設けられるとともに高さが同一な基板ガイドアセンブリ、および前端空気浮上アセンブリをそれぞれ有する、ことを特徴とする請求項１に記載の基板搬送装置。
【請求項７】
前記基板ガイドアセンブリは、平行に設けられた複数のガイドローラ列を有し、各ガイドローラ列は、前記第２方向に沿って間隔を開けて設けられた複数のガイドローラを有する、ことを特徴とする請求項６に記載の基板搬送装置。
【請求項８】
前記前端空気浮上アセンブリは、空気膜を生成して基板を持ち上げるために用いられる、ことを特徴とする請求項６に記載の基板搬送装置。
【請求項９】
前記基板上板移送テーブルおよび前記基板下板移送テーブルは、前記基板ガイドアセンブリと間隔を開けて分布された基板位置調節アセンブリをそれぞれさらに有する、ことを特徴とする請求項７に記載の基板搬送装置。
【請求項１０】
前記基板位置調節アセンブリは、前記ガイドローラ列と間隔を開けて分布された複数のボールトランスファ群を有し、
各ボールトランスファ群は、前記第２方向に沿って間隔を開けて設けられた複数のボールトランスファユニットを有する、ことを特徴とする請求項９に記載の基板搬送装置。
【請求項１１】
各前記ボールトランスファユニットは、支持ホルダと、前記支持ホルダに設けられた複数のボールトランスファと、前記支持ホルダが上下に運動するよう駆動するシリンダと、を有する、ことを特徴とする請求項１０に記載の基板搬送装置。
【請求項１２】
前記基板上板移送テーブルおよび前記基板下板移送テーブルは、前記第１方向に沿って前記基板ガイドアセンブリの両側に設けられたエッジ保護アセンブリをそれぞれさらに有し、前記基板が第１方向に偏移することを防ぐために用いられる、ことを特徴とする請求項６に記載の基板搬送装置。
【請求項１３】
前記エッジ保護アセンブリは、前記第１方向に沿って前記基板ガイドアセンブリの両側に設けられた複数のＴ型支柱を有する、ことを特徴とする請求項１２に記載の基板搬送装置。
【請求項１４】
前記基板上板移送テーブルと前記基板下板移送テーブルの構造は同一である、ことを特徴とする請求項１に記載の基板搬送装置。
【請求項１５】
以下のステップ、
Ｓ１、マニピュレータが基板を基板移送テーブルに置くステップと、
Ｓ２：基板移送テーブルに設けられた基板移送アセンブリは基板を吸着し、かつ前記基板をワークステージの方向へ運動させるよう駆動するステップと、
Ｓ３：前記基板が前記基板移送テーブルの前記ワークステージに近接した側まで運動するとき、基板移行空気浮上アセンブリは空気膜を生成し、前記基板を突き上げ、かつ前記基板移送アセンブリにより前記基板を第２方向に沿って前記ワークステージまで移送するステップと、を含む、ことを特徴とする請求項１〜１４のいずれか１項に記載の基板搬送装置の搬送方法。
【請求項１６】
前記ステップＳ２において、前記基板移送アセンブリにおける吸着盤は前記基板を吸着し、続いて、運動モジュールは、前記基板をワークステージ側へ運動させるよう駆動し、前記基板の運動は前記基板搬送テーブルにおけるガイドローラが転がるように駆動し、前記基板の移動をガイドする、ことを特徴とする請求項１５に記載の搬送方法。
【請求項１７】
前記基板移送テーブルは、第１方向に沿って間隔を開けて設けられた複数のボールトランスファユニットをさらに有し、
各前記ボールトランスファユニットは、支持ホルダと、前記支持ホルダに設けられた複数のボールトランスファと、前記支持ホルダが上下に運動するよう駆動するシリンダと、をさらに有し、
前記ステップＳ１と前記ステップＳ２との間に、前記ボールトランスファユニットにおけるシリンダが前記支持ホルダを上昇させるよう駆動し、前記基板を前記ボールトランスファの平面に置き、位置調整を実現し、続いて、前記シリンダが前記支持ホルダを下降させるよう駆動し、前記基板を前記基板移送テーブルに置きなおすことをさらに含む、ことを特徴とする請求項１５に記載の搬送方法。
【請求項１８】
以下のステップ、
Ｓ１０：前記基板が前記基板移送テーブルの前記ワークステージに近接した側まで移動するとき、基板移行空気浮上アセンブリは空気膜を生成し、前記基板を持ち上げ、かつ前記基板移送アセンブリにより前記基板を第２方向に沿って前記ワークステージから基板移送テーブルまで移送するステップと、
Ｓ２０：前記基板移送テーブルに設けられた基板移送アセンブリは前記基板を吸着し、かつ前記基板をマニピュレータの方向へ運動させるよう駆動するステップと、
Ｓ３０：前記マニピュレータは、前記基板移送テーブルから前記基板を取り外すステップと、を含む、ことを特徴とする請求項１〜１４のいずれか１項に記載の基板搬送装置の搬送方法。
【発明の詳細な説明】
【技術分野】
【０００１】
本発明はフォトリソグラフィ装置技術分野に関し、具体的には基板搬送装置および方法に関する。
【背景技術】
【０００２】
フォトリソグラフィ装置における重要な構成部分として、基板移送テーブルの安全な搬送は、フォトリソグラフィ装置の生産効率を高めるために極めて重要な作用を果たす。基板移送は通常、ローラテーブルまたは空気浮上テーブルにより、ワークステージとマニピュレータとの間におけるガラス基板の引き渡しを実現する。集積回路製造業の急速な成長に伴い、搬送が必要な基板はますます大きくなっており、これにより移送テーブルの搬送速度および安全性能もさらに高い要求が求められている。現在使用されているローラテーブルまたは空気浮上テーブルには不十分な点があり、このうち、単一のローラ移送テーブルでは基板搬送過程における順調な引き渡しが保証できず、一方、単一の空気浮上ワークステージを採用することはコストが高く、広く普及させ使用することには不利である。
【発明の概要】
【発明が解決しようとする課題】
【０００３】
本発明は、基板搬送装置をおよび方法を提供することで、既存の技術における課題を解決する。
【０００４】
上述の技術的課題を解決するため、本発明の技術的解決手段は以下のとおりである。基板搬送装置であって、マニピュレータとワークステージとの間に設けられ、かつ第１方向に沿って平行に設けられた基板上板移送テーブルおよび基板下板移送テーブルを有し、前記第１方向に垂直な第２方向に沿って、前記ワークステージと前記マニピュレータとの間で基板を移送するための基板移送テーブルと、全体フレームと、前記全体フレームの前記ワークステージに近接した側に固定して接続され、かつ前記基板上板移送テーブルと前記基板下板移送テーブルのうちのそれぞれと接続され、前記基板上板移送テーブルまたは前記基板下板移送テーブルにより前記基板を移送する過程において空気膜を生成して前記基板を持ち上げるための基板移行空気浮上アセンブリと、を有する。
【０００５】
さらに、前記基板上板移送テーブルと前記基板下板移送テーブルの相対位置は変わらず、全体として前記全体フレームに平行であり、かつ前記全体フレームに摺接される。
【０００６】
さらに、前記基板上板移送テーブルおよび前記基板下板移送テーブルの前記マニピュレータに近接した側には基板移送アセンブリがそれぞれ設けられる。
【０００７】
さらに、前記全体フレームに設けられた運動モジュールと、前記運動モジュールに設けられた複数の吸着盤と、を有し、前記吸着盤は、前記基板を吸着し、かつ前記運動モジュールの運動下で前記基板を前記第２方向に沿って運動させるよう駆動するために用いられる。
【０００８】
さらに、前記運動モジュールは、モータとスクリュの組み合わせである。
【０００９】
さらに、前記基板上板移送テーブルおよび基板下板移送テーブルは、前記第１方向に沿って設けられるとともに高さが同一の基板ガイドアセンブリ、および前端空気浮上アセンブリをそれぞれ有する。
【００１０】
さらに、前記基板ガイドアセンブリは、平行に設けられた複数のガイドローラ列を有し、各前記ガイドローラ列は、前記第２方向に沿って間隔を開けて設けられた複数のガイドローラを有する。
【００１１】
さらに、前記前端空気浮上アセンブリは、空気膜を生成して前記基板を持ち上げるために用いられる。
【００１２】
さらに、前記基板上板移送テーブルおよび基板下板移送テーブルは、前記基板ガイドアセンブリと間隔を開けて分布された基板位置調節アセンブリをそれぞれさらに有する。
【００１３】
さらに、前記基板位置調節アセンブリは、前記ガイドローラ列と間隔を開けて分布された複数のボールトランスファ群を有し、各前記ボールトランスファ群は、前記第２方向に沿って間隔を開けて設けられた複数のボールトランスファユニットを有する。
【００１４】
さらに、各前記ボールトランスファユニットは、支持ホルダと、前記支持ホルダに設けられた複数のボールトランスファと、前記支持ホルダが上下に運動するよう駆動するシリンダと、を有する。
【００１５】
さらに、前記基板上板移送テーブルおよび前記基板下板移送テーブルは、前記第１方向に沿って、前記基板ガイドアセンブリの両側に設けられたエッジ保護アセンブリをそれぞれさらに有し、前記基板が前記第１方向に偏移することを防ぐために用いられる。
【００１６】
さらに、前記エッジ保護アセンブリは、前記第１方向に沿って前記基板ガイドアセンブリの両側に設けられた複数のＴ型支柱を有する。
【００１７】
さらに、前記基板上板移送テーブルと前記基板下板移送テーブルの構造は同一である。
【００１８】
本発明は、基板搬送装置の搬送方法をさらに提供し、以下のステップ、
Ｓ１、マニピュレータが基板を基板移送テーブルに置くステップと、
Ｓ２：基板移送テーブルに設けられた基板移送アセンブリは基板を吸着し、かつ前記基板をワークステージの方向へ運動させるよう駆動するステップと、
Ｓ３：前記基板が前記基板移送テーブルの前記ワークステージに近接した側まで運動するとき、基板移行空気浮上アセンブリは空気膜を生成し、前記基板を突き上げ、かつ前記基板移送アセンブリにより前記基板を第２方向に沿って前記ワークステージまで移送するステップと、を含む。
【００１９】
さらに、前記ステップＳ２において、前記基板移送アセンブリにおける吸着盤は前記基板を吸着し、続いて、運動モジュールは、前記基板をワークステージ側へ運動させるよう駆動し、前記基板の運動は、前記基板移送テーブルにおけるガイドローラが転がるよう駆動し、基板の移動をガイドする。
【００２０】
さらに、前記基板移送テーブルは、第１方向に沿って間隔を開けて設けられた複数のボールトランスファユニットをさらに有し、各前記ボールトランスファユニットは、支持ホルダと、前記支持ホルダに設けられた複数のボールトランスファと、前記支持ホルダが上下に運動するよう駆動するシリンダと、をさらに有し、前記ステップＳ１と前記ステップＳ２との間に、前記ボールトランスファユニットにおけるシリンダが前記支持ホルダを上昇させるよう駆動し、前記基板を前記ボールトランスファの平面に置き、位置調整を実現し、続いて、前記シリンダが前記支持ホルダを下降させるよう駆動し、前記基板を前記基板移送テーブルに置きなおすことをさらに含む。
【発明の効果】
【００２１】
本発明により提供される基板搬送装置は、マニピュレータとワークステージとの間に設けられた基板移送テーブルと、基板移行空気浮上アセンブリと、を有し、前記基板移送テーブルは、Ｘ方向に沿って平行に設けられた基板上板移送テーブルおよび基板下板移送テーブルを有し、前記基板上板移送テーブルおよび基板下板移送テーブルのマニピュレータに近接した側には基板移送アセンブリがそれぞれ設けられる。基板移送テーブルおよび基板移行空気浮上アセンブリを設けることにより、基板移送テーブルがワークステージとワークを引き継ぐ過程において、基板移行空気浮上アセンブリがガイドローラと協働することで、基板がマニピュレータとワークステージとの間で高効率に、安全に搬送され、しかも移送サブシステムのコストを大幅に低減させることができる。
【図面の簡単な説明】
【００２２】
【図１ａ】本発明の実施例１における基板搬送装置の構造概略図である。
【図１ｂ】本発明の実施例１における基板搬送装置の構造立体図である。
【図１ｃ】本発明の実施例１における運動モジュールの構造立体図である。
【図２】本発明の実施例１における基板上板移送テーブルの正面図である。
【図３】本発明の実施例１における基板上板移送テーブルの側面図である。
【図４ａ】本発明の実施例１における基板がワークステージに近接した状態の概略図である。
【図４ｂ】本発明の実施例１における基板がワークステージに近接した状態の概略図である。
【図５】本発明の実施例２における基板上板移送テーブルの平面図である。
【図６】本発明の実施例２における基板上板移送テーブルの側面図である。
【図７ａ】本発明の実施例２におけるボールトランスファユニットが上昇したときの状態の概略図である。
【図７ｂ】本発明の実施例２におけるボールトランスファユニットが下降したときの状態の概略図である。
【発明を実施するための形態】
【００２３】
以下に図面を踏まえて本発明を詳細に説明する。
【００２４】
実施例１
図１ａ‐図３に示すように、本発明は基板搬送装置を提供するものであり、マニピュレータ１とワークステージ２との間に順次設けられた基板移送テーブル３と、基板移行空気浮上アセンブリ４と、を有し、前記基板移送テーブル３は、Ｘ方向に沿って平行に設けられた基板上板移送テーブル５および基板下板移送テーブル６を有し、前記基板上板移送テーブル５および基板下板移送テーブル６の前記マニピュレータ１に近接した側には基板移送アセンブリ（図１ｃに示す）がそれぞれ設けられる。具体的には、前記基板上板移送テーブル５および基板下板移送テーブル６の両者の相対位置は変わらず、全体として全体フレーム８に平行であり、かつ前記全体フレーム８に摺接される。前記基板上板移送テーブル５および基板下板移送テーブル６はＸ方向に沿って移動可能であり、基板上板移送テーブル５は、マニピュレータ１における基板７をワークステージ２へ移送するために用いられ、基板下板移送テーブル６は、ワークステージ２における基板７をマニピュレータ１へ移送するために用いられる。前記基板移行空気浮上アセンブリ４は全体フレーム８に固定して接続される。基板移送テーブル３および基板移行空気浮上アセンブリ４を設けることで、基板７がマニピュレータ１とワークステージ２との間で高効率に、安全に搬送され、しかも移送サブシステムのコストを大幅に低減させる。
【００２５】
基板上板移送テーブル５は、基板下板移送テーブル６の構造と同一であり、マニピュレータ１における基板７をワークステージ２へ移送する必要があるとき、基板上板伝送テーブル５および前記基板下板伝送テーブル６全体が摺動し、基板移行空気浮上アセンブリ４に対応する位置まで基板上板移送テーブル５を摺動させて作業を行う。ワークステージ２における基板７をマニピュレータ１へ移送する必要があるとき、基板上板移送テーブル５および基板下板移送テーブル６全体が摺動し、基板移行空気浮上アセンブリ４に対応する位置まで基板下板移送テーブル６を摺動させて作業を行う。
【００２６】
基板上板移送テーブル５および基板下板移送テーブル６は、フレームに固定されることで一体としてもよく、単にロッド状物などを介して直接的に接続してもよく、両者の相対位置が変わらなければよく、本発明は両者の具体的な接続方法を限定しない。
【００２７】
基板上板移送テーブル５と基板下板移送テーブル６の構造は同一であり、一方、作業過程は逆の過程である。以下に基板上板移送テーブル５の上板の作業過程のみを例とする。
【００２８】
好ましくは、図１ｃに示すように、前記基板移送アセンブリは、運動モジュールと、前記運動モジュールに設けられた複数の吸着盤と、を有し、前記運動モジュールは、全体フレーム８に設けられてよく、吸着盤は運動モジュールに設けられ、運動モジュールの運動により吸着盤の運動を駆動し、吸着盤は基板を吸着することで、基板の運動を駆動する。ここでは簡単な直線運動であるが、直線運動を実現可能な多くのモジュールがあり、例えば、モータとスクリュの組み合わせである。マニピュレータ１が基板上板移送テーブル５に基板を置くときに、基板移送アセンブリは吸着盤により基板を吸着し、続いて、運動モジュールは、基板をワークステージ２側へ運動させるよう駆動する。
【００２９】
図４ａ−４ｂに示すように、前記基板移行空気浮上アセンブリ４は全体フレーム８の前記ワークステージ２に近接した側に設けられ、かつ前記基板上板移送テーブル５に接続され、基板７が基板上板移送テーブルのワークステージ２に近接した側まで運動したもののワークステージ２に到達していないとき、好ましくは、基板７の片側が基板移行空気浮上アセンブリ４に到着するときに、基板移行空気浮上アセンブリ４が空気膜を生成し、基板を浮き上がらせるとともに、運動モジュールは、基板をワークステージ２へ運動させるよう継続して駆動することで、ワークステージ２へ順調に引き渡す。
【００３０】
図１ａ−３に示すように、前記基板移送テーブル３は全体フレーム８に摺動するように設けられ、全体フレーム８により支持され、全体フレーム８にはＸ方向に沿ってスライドレールが設けられ、基板移送テーブル３の底部には前記スライドレールに対応するスライド溝が設けられ、上下板の必要に応じて、基板移送テーブル３は全体フレーム８に対してＸ方向に沿って移動し、このうちの基板上板移送テーブル５または基板下板移送テーブル６を、マニピュレータ１とワークステージ２との間、かつ基板移行空気浮上アセンブリ４に対応する位置に位置させる。前記基板上板移送テーブル５および基板下板移送テーブル６は、Ｘ方向に沿って順次設けられるとともに高さが同一の基板ガイドアセンブリ９、および前端空気浮上アセンブリ１０それぞれをさらに有し、ここで、基板ガイドアセンブリ９は、平行に設けられた複数のガイドローラ列を有し、各ガイドローラ列は、Ｘ方向に沿って間隔を開けて設けられた複数のガイドローラ９１を有し、具体的には、マニピュレータ１は基板７をガイドローラ９１の上方に置き、このとき、基板移送アセンブリにおける吸着盤が基板を吸着し、続いて、運動モジュールは、基板をワークステージ２側へ運動させるよう駆動し、基板の運動によりガイドローラ９１が回転するよう駆動して転がるようにし（図中では時計回り方向に転がることを示す）、基板７の搬送にガイドの作用を果たし、ガイドローラ９１の良好なガイド性により基板７をＹ方向に沿って運動させ、しかもＸ方向に沿った移動を防ぐことで、移送精度を高める。
【００３１】
引き続き図２‐３を参照されたい。前記基板上板移送テーブル５および基板下板移送テーブル６は、Ｘ方向に沿って前記基板ガイドアセンブリ９の両側に設けられたエッジ保護アセンブリをそれぞれさらに有し、前記エッジ保護アセンブリは、Ｘ方向に沿って前記基板ガイドアセンブリ９の両側に設けられた複数のＴ型支柱１１を有し、即ち、Ｔ型支柱１１は二列設けられ、Ｘ方向に沿って基板ガイドアセンブリ９の両側に分けて設けられ、各列のＴ型支柱１１はＹ方向に沿って間隔を開けて配列され、Ｔ型支柱１１の上端は基板ガイドアセンブリ９よりも高く、搬送中の基板７を保護し、Ｘ方向に偏移することを防ぎ、搬送の安全性をさらに高める。
【００３２】
本発明により提供される基板搬送装置の搬送方法は、以下のステップを含む。
Ｓ１：マニピュレータ１が基板７を基板移送テーブル３に置き、具体的には、本実施例は主に上板の過程についてであり、このとき基板７は基板移送テーブル３の基板上板移送テーブル５に置かれ、基板上板移送テーブル５におけるガイドローラ９１に接触するステップ。
【００３３】
Ｓ２：基板搬送アセンブリは前記基板７を吸着し、かつ前記基板７をワークステージ２の方向に沿って運動させるよう駆動し、具体的には、前記移送アセンブリにおける吸着盤は前記基板７を吸着し、続いて、運動モジュールは、基板をワークステージ２側へ運動させるよう駆動し、基板７の運動は同時にガイドローラ９１へ力を附勢し、ガイドローラが時計回り方向に沿って転がるようにし、基板７の搬送にガイドの作用を果たし、ガイドローラ９１の良好なガイド性により、基板７をＹ方向に沿って運動させるようにし、しかもＸ方向に沿った移動を防ぐことで、移送精度を高め、全過程において、基板ガイドアセンブリ９は、Ｘ方向に沿って基板ガイドアセンブリの両側に設けられたエッジ保護アセンブリにより基板を保護し、Ｘ方向に偏移することを防ぐステップ。
【００３４】
Ｓ３：前記基板７が前記基板移送テーブル３の前記ワークステージ２に近接した側まで運動するとき、基板移行空気浮上アセンブリ４は空気膜を生成し、基板７を持ち上げ、かつ前記ワークステージ２まで送るステップ。基板７が基板移送テーブル３の前記ワークステージ２に近接した側まで移送されるとき、まず、前端空気浮上アセンブリ１０が空気膜を生成し、基板７を持ち上げ、かつ基板移行空気浮上アセンブリ４の上方まで送り、続いて、基板移行空気浮上アセンブリ４が空気膜を生成し、基板７を持ち上げ、かつワークステージ２まで送るということを説明する必要がある。
【００３５】
実施例２
実施例１と異なるのは、図５‐６に示すように、前記基板上板移送テーブル５および基板下板移送テーブル６は、前記基板ガイドアセンブリ９と間隔を開けて分布された基板位置調節アセンブリをさらに有することである。具体的には、前記基板位置調節アセンブリは、前記ガイドローラ列と間隔を開けて分布された複数のボールトランスファ群を有し、各ボールトランスファ群は、Ｘ方向に沿って間隔を開けて設けられた複数のボールトランスファユニット１２を有し、ここで、ボールは基板の調節過程に受動的に適応し、位置調節過程において生じた摩擦により基板を損傷することを防ぐ。各前記ボールトランスファユニット１２は、支持ホルダ１３と、前記支持ホルダ１３に設けられた複数のボールトランスファ１４と、前記支持ホルダ１３が上下に運動するよう駆動するシリンダ（図示せず）と、を有する。具体的には、支持ホルダ１３は、全体フレーム８に固定され、マニピュレータ１が基板７を基板移送テーブル３に置くときに、先ず、ボールトランスファユニット１２におけるシリンダは支持ホルダ１３が上昇するよう駆動し、基板をボールトランスファ１２の平面に置き、位置決めシリンダおよび締め付けシリンダの協働により、基板はボールトランスファの平面で指定位置まで移動し、これにより位置の調整を実現するが、実現方法はこれに限定されない。この実施例における基板は長方形であり、基板の二つの辺には位置決めシリンダが設けられ、基板の他の二つの辺には締め付けシリンダが設けられ、基板を置くときに位置決めシリンダに正確に合わせ、その後、締め付けシリンダが運動し、位置に位置決め微調整を行う。図７ａに示すように、ボールトランスファは任意の方向に回転可能であるという良好な特性を有するので、調整過程において、基板を傷つけることを防ぐ。基板７の位置調整完了後、シリンダは支持ホルダ１３が下降するよう駆動し、図７ｂに示すように、基板移送テーブル３におけるガイドローラ９１の位置に基板７を置きなおし、このとき、基板移送アセンブリにおける吸着盤はシリンダの駆動下で上昇するとともに、吸着盤による真空が開始され、基板を吸着し、続いて、運動モジュールは、基板移送アセンブリおよび吸着された基板をともにワークステージ２側へ運動させるよう駆動するとともに、基板の運動はガイドローラ９１に力を附勢し、ガイドローラが時計回りの方向に沿って転がるようにし、基板７の搬送にガイドの作用を果たし、ガイドローラ９１の良好なガイド性により、基板７をＹ方向に沿って運動させるようにし、しかもＸ方向に沿った移動を防ぐことで、移送精度を高める。
【００３６】
以上を総合し、本発明により提供される基板搬送装置および方法は、マニピュレータ１とワークステージ２との間に順次設けられた基板移送テーブル３と、基板移行空気浮上アセンブリ４と、を有し、前記基板移送テーブル３は、Ｘ方向に沿って設けられた基板上板移送テーブル５および基板下板移送テーブル６を有し、前記基板上板移送テーブル５および基板下板移送テーブル６の前記マニピュレータ１に近接した側には基板移送アセンブリがそれぞれ設けられる。基板移送テーブル３および基板移行空気浮上アセンブリ４を設けることにより、基板移送テーブル３がワークステージ２とワークを引き継ぐ過程において、基板移行空気浮上アセンブリ４がガイドローラ９１と協働することで、基板７がマニピュレータ１とワークステージ２との間で高効率に、安全に搬送されることを実現し、しかも移送サブシステムのコストを大幅に低減させる。
【００３７】
本発明において本発明の実施形態を説明したものの、これらの実施形態は提示したのみで、本発明の保護範囲を限定しないものとする。本発明の精神を逸脱しない範囲内において各種の省略、置換、および変更を行うことはいずれも、本発明の保護範囲内に含まれるものとする。
【符号の説明】
【００３８】
１  マニピュレータ
２  ワークステージ
３  基板移送テーブル
４  基板移行空気浮上アセンブリ
５  基板上板移送テーブル
６  基板下板移送テーブル
７  基板
８  全体フレーム
９  基板ガイドアセンブリ
９１  ガイドローラ
１０  前端空気浮上アセンブリ
１１  Ｔ型支柱
１２  ボールトランスファユニット
１３  支持ホルダ
１４  ボールトランスファ
【図１ａ】
2018142700.tif 000003
【図１ｂ】
2018142700.tif 000004
【図１ｃ】
2018142700.tif 000005
【図２】
2018142700.tif 000006
【図３】
2018142700.tif 000007
【図４ａ】
2018142700.tif 000008
【図４ｂ】
2018142700.tif 000009
【図５】
2018142700.tif 000010
【図６】
2018142700.tif 000011
【図７ａ】
2018142700.tif 000012
【図７ｂ】
2018142700.tif 000013